(57)【要約】      （修正有）【課題】自動精米設備において、投入精米料金に応じた運転時間が終了し各作業部が停止した状態で、少量の玄米が未精米で残存する場合に、利用者の希望により、精米料金を追加して残存玄米を精米したときに未精白米を取り出すことを防止する。【解決手段】投入精米料金に応じた精米運転時間を設定して精米運転を開始し、設定精米運転時間が終了し精米運転が停止した際に、精米利用料金を追加投入した場合には、玄米投入センサ３１の玄米なし検出状態では、切換装置２０を戻し通路側１９に切り換え、また、玄米投入センサ３１が玄米有り検出状態では、切換装置２０を精米機側１５への搬送に切り換え精米作業をするコントローラを設ける。【選択図】図２
2011167645.tif 000002
【特許請求の範囲】
【請求項１】
建屋（１）に操作室（２）と機械室（３）とを備え、操作室（２）には原料投入ホッパ（５）、操作盤（６）及び白米取出タンク（７）を設け、機械室（３）には精米機（１５）を備えている料金式自動精米設備において、
精米料金を投入すると投入した精米料金の返却のできないコインメック（２７）と、前記原料投入ホッパ（５）内の穀粒の有無を検出する玄米投入センサ（３１）と、前記原料投入ホッパ（５）内の穀粒を搬出する玄米繰出手段（８）と、玄米繰出手段（８）で搬送した玄米を精米する前記精米機（１５）とを設け、
前記原料投入ホッパ（５）から玄米繰出手段（８）で搬出した玄米を前記精米機（１５）へ搬送する搬送経路の中途部から前記操作室（２）側に玄米を戻すことのできる戻し通路（１９）を分岐し、前記戻し通路（１９）の始端側部には玄米を戻し通路（１９）に戻すか前記精米機（１５）側への搬送に切り換える切換装置（２０）を設け、
投入精米料金に応じた精米運転時間を設定して精米運転を開始し、設定精米運転時間が終了し精米運転が停止した際に、精米利用料金を追加投入した場合には、前記玄米投入センサ（３１）の玄米無し検出状態では、前記切換装置（２０）を戻し通路（１９）側に切り換え、また、前記玄米投入センサ（３１）の玄米有り検出状態では、前記切換装置（２０）を前記精米機（１５）側への搬送に切り換えて精米運転するコントローラを設けたことを特徴とする自動精米設備の運転制御装置。
【請求項２】
建屋（１）に操作室（２）と機械室（３）とを備え、操作室（２）には原料投入ホッパ（５）、操作盤（６）及び白米取出タンク（７）を設け、機械室（３）には精米機（１５）を備えている料金式自動精米設備において、
精米料金を投入すると投入した精米料金の返却のできないコインメック（２７）と、前記原料投入ホッパ（５）内の穀粒の有無を検出する玄米投入センサ（３１）と、前記原料投入ホッパ（５）内の穀粒を搬出する玄米繰出手段（８）と、玄米繰出手段（８）で搬出した玄米を精米する精米機（１５）を設け、
投入精米料金に応じた精米運転時間を設定して精米運転を開始し、設定精米運転時間が終了すると、精米設備の各作業部の運転を停止し、所定時間内に精米料金の追加投入がない場合には精米作業を終了し、また、精米料金の追加投入がある場合には、所定時間内に原料投入ホッパ（５）へ穀粒の投入があると、追加投入した精米料金に応じた運転時間で各作業部の運転を開始し、所定時間内に原料投入ホッパ（５）へ穀粒の投入がない場合には、原料投入ホッパ５への穀粒の投入を促す報知をし、所定時間内に玄米投入センサ（３１）が玄米有り検出をすると、追加投入した精米料金に応じた運転時間で各作業部の運転を開始するコントローラを設けたことを特徴とする自動精米設備の運転制御装置。
【請求項３】
建屋（１）に操作室（２）と機械室（３）とを備え、操作室（２）には原料投入ホッパ（５）、操作盤（６）及び白米取出タンク（７）を設け、機械室（３）には精米機（１５）を備えている料金式自動精米設備において、
精米料金を投入すると投入精米料金の返却のできないコインメック（２７）と、前記原料投入ホッパ（５）内の穀粒の有無を検出する玄米投入センサ（３１）と、前記原料投入ホッパ（５）内の穀粒を搬出する玄米繰出手段（８）と、玄米繰出手段（８）で搬出した玄米を精米する精米機（１５）と、精米機（１５）の上手側に設けている玄米貯溜用の玄米ホッパ（１４）と、該玄米ホッパ（１４）内の所定穀粒量を検出する第二穀粒検出センサ（３２）とを設け、
投入精米料金に応じた精米運転時間を設定して精米運転を開始し、設定精米運転時間が終了すると、精米設備の各作業部の運転を停止し、所定時間内に精米料金の追加投入がない場合には、精米作業を終了し、また、所定時間内に精米料金の追加投入があると、所定時間内に前記玄米投入センサ（３１）が穀粒有りの検出をし、且つ、前記第二穀粒検出センサ（３２）が穀粒有りの検出をすると、追加投入した精米料金に応じた運転時間で各作業部の運転を開始し、
所定時間内に原料投入ホッパ（５）への穀粒の投入が無い場合には、穀粒の投入を促す報知をし、所定時間内に玄米投入センサ（３１）が穀粒有りの検出をし、且つ、前記第二穀粒検出センサ（３２）が穀粒有り検出をすると、追加投入の精米料金に応じた運転時間で各作業部の運転を開始するコントローラを設けたことを特徴とする自動精米設備の運転制御装置。
【発明の詳細な説明】
【技術分野】
【０００１】
本発明は、料金式自動精米設備の運転制御装置に関する。
【背景技術】
【０００２】
自動精米設備において、穀粒を投入する投入ホッパと、投入ホッパに投入した穀粒を石抜き処理する石抜き装置と、石抜き処理した穀粒を精米する精米装置と、精米装置で精米処理された精白米を受ける白米タンクと、投入ホッパ内の穀粒を石抜き装置に搬送する搬送装置と、精白度を設定する操作盤と、利用料金を投入する料金投入口と、投入した利用料金に対応する時間で前記精米作業部を駆動制御する制御部とを備え、搬送装置と投入ホッパの上方とを還元通路で連通し、搬送装置で搬送される穀粒を石抜き装置側か還元通路側の何れかに供給するための切替装置を設け、この切替装置は切替スイッチで操作をし、制御部が投入利用料金分に対応する駆動時間を停止した後に切替スイッチを操作すると、切替装置が還元通路側を開放すると共に、搬送装置と精米装置とを駆動するように構成したものは、公知である（特許文献１）。
【先行技術文献】
【特許文献】
【０００３】
【特許文献１】特開２００７−１１７９４号公報
【発明の概要】
【発明が解決しようとする課題】
【０００４】
自動精米設備において、投入利用料金に応じた運転時間が終了し各作業部が停止した状態で、原料投入ホッパに少量の玄米が残存する場合がある。このような場合に、本発明は、利用者の希望により、利用料金を追加投入して残存玄米を精米した場合に、未精白米が発生しやすい少量の精米処理により利用者の意図しない精白度の玄米が排出されるのを防止する。
【課題を解決するための手段】
【０００５】
本発明は前記課題を解決するために次のような技術的手段を講じた。
【０００６】
請求項１の発明は、建屋（１）に操作室（２）と機械室（３）とを備え、操作室（２）には原料投入ホッパ（５）、操作盤（６）及び白米取出タンク（７）を設け、機械室（３）には精米機（１５）を備えている料金式自動精米設備において、精米料金を投入すると投入した精米料金の返却のできないコインメック（２７）と、前記原料投入ホッパ（５）内の穀粒の有無を検出する玄米投入センサ（３１）と、前記原料投入ホッパ（５）内の穀粒を搬出する玄米繰出手段（８）と、玄米繰出手段（８）で搬送した玄米を精米する前記精米機（１５）とを設け、前記原料投入ホッパ（５）から玄米繰出手段（８）で搬出した玄米を前記精米機（１５）へ搬送する搬送経路の中途部から前記操作室（２）側に玄米を戻すことのできる戻し通路（１９）を分岐し、前記戻し通路（１９）の始端側部には玄米を戻し通路（１９）に戻すか前記精米機（１５）側への搬送に切り換える切換装置（２０）を設け、投入精米料金に応じた精米運転時間を設定して精米運転を開始し、設定精米運転時間が終了し精米運転が停止した際に、精米利用料金を追加投入した場合には、前記玄米投入センサ（３１）の玄米なし検出状態では、前記切換装置（２０）を戻し通路（１９）側に切り換え、また、前記玄米投入センサ（３１）の玄米有り検出状態では、前記切換装置（２０）を前記精米機（１５）側への搬送に切り換えて精米運転するコントローラを設けたことを特徴とする自動精米設備の運転制御装置とする。
【０００７】
請求項２の発明は、建屋（１）に操作室（２）と機械室（３）とを備え、操作室（２）には原料投入ホッパ（５）、操作盤（６）及び白米取出タンク（７）を設け、機械室（３）には精米機（１５）を備えている料金式自動精米設備において、精米料金を投入すると投入した精米料金の返却のできないコインメック（２７）と、前記原料投入ホッパ（５）内の穀粒の有無を検出する玄米投入センサ（３１）と、前記原料投入ホッパ（５）内の穀粒を搬出する玄米繰出手段（８）と、玄米繰出手段（８）で搬出した玄米を精米する精米機（１５）を設け、投入精米料金に応じた精米運転時間を設定して精米運転を開始し、設定精米運転時間が終了すると、精米設備の各作業部の運転を停止し、所定時間内に精米料金の追加投入がない場合には精米作業を終了し、また、精米料金の追加投入がある場合には、所定時間内に原料投入ホッパ（５）へ穀粒の投入があると、追加投入した精米料金に応じた運転時間で各作業部の運転を開始し、所定時間内に原料投入ホッパ（５）へ穀粒の投入がない場合には、原料投入ホッパ５への穀粒の投入を促す報知をし、所定時間内に玄米投入センサ（３１）が玄米有り検出をすると、追加投入した精米料金に応じた運転時間で各作業部の運転を開始するコントローラを設けたことを特徴とする自動精米設備の運転制御装置とする。
【０００８】
請求項３の発明は、建屋（１）に操作室（２）と機械室（３）とを備え、操作室（２）には原料投入ホッパ（５）、操作盤（６）及び白米取出タンク（７）を設け、機械室（３）には精米機（１５）を備えている料金式自動精米設備において、精米料金を投入すると投入精米料金の返却のできないコインメック（２７）と、前記原料投入ホッパ（５）内の穀粒の有無を検出する玄米投入センサ（３１）と、前記原料投入ホッパ（５）内の穀粒を搬出する玄米繰出手段（８）と、玄米繰出手段（８）で搬出した玄米を精米する精米機（１５）と、精米機（１５）の上手側に設けている玄米貯溜用の玄米ホッパ（１４）と、該玄米ホッパ（１４）内の所定穀粒量を検出する第二穀粒検出センサ（３２）とを設け、投入精米料金に応じた精米運転時間を設定して精米運転を開始し、設定精米運転時間が終了すると、精米設備の各作業部の運転をすべて停止し、所定時間内に精米料金の追加投入がない場合には、精米作業を終了し、また、所定時間内に精米料金の追加投入があると、所定時間内に前記玄米投入センサ（３１）が穀粒ありの検出をし、且つ、前記第二穀粒検出センサ（３２）が穀粒ありの検出をすると、追加投入した精米料金に応じた運転時間で各作業部の運転を開始し、また、所定時間内に原料投入ホッパ（５）への穀粒の投入がない場合には、穀粒の投入を促す報知をし、所定時間内に玄米投入センサ（３１）が穀粒有りの検出をし、且つ、前記第二穀粒検出センサ（３２）が穀粒有り検出をすると、追加投入の精米料金に応じた運転時間で各作業部の運転を開始するコントローラを設けたことを特徴とする自動精米設備の運転制御装置とする。
【発明の効果】
【０００９】
請求項１の発明によると、精米料金に応じた精米運転時間の終了した時点で原料投入ホッパ（５）に残っている少量の玄米を精米することにより、希望しない白度、とりわけ未精白米の排出を防止することができる。
【００１０】
請求項２の発明によると、精米料金に応じた精米運転時間の終了した場合に、利用者が精米料金を投入した場合に、穀粒量が少量の場合に穀粒の追加投入を促して、精米作業を行なうことで、少量による精米を防止し、希望しない白度、とりわけ未精白米の排出を防止することができる。
【００１１】
請求項３の発明によると、精米料金に応じた精米運転時間の終了した場合に、利用者が精米料金を投入した場合に、穀粒量が少量の場合に穀粒の追加投入を促して、精米作業を行なうことで、少量による精米を防止し、希望しない白度、とりわけ未精白米の排出を防止することができる。また、精米機（１５）へ穀粒を適正に供給し均等な精白度で精米しながら連続して精米作業を進めることができる。
【図面の簡単な説明】
【００１２】
【図１】料金式精米設備の平面図。
【図２】料金式精米設備の工程図。
【図３】料金式精米設備の操作室側から見た正面図。
【図４】フローチャート。
【図５】フローチャート。
【図６】精米運転時間、センサのＯＮ／ＯＦＦ状態、システムの起動状態、警報報知状態、精米作業部の作動状態を示すタイムチャート。
【発明を実施するための最良の形態】
【００１３】
以下本発明の実施例を図面に基づき説明する。
【００１４】
まず、図１及び図２に基づき本発明を備えた料金式自動精米設備の全体構成について説明する。
【００１５】
料金式自動精米設備は、建屋１内を操作室２と機械室３とに仕切り壁４により仕切り、操作室２側に面して原料投入ホッパ５、操作盤６及び白米取出タンク７を設けている。
【００１６】
また、機械室３内には、第１昇降機１１、石抜き機１２、第２昇降機１３、玄米タンク１４、精米機１５、精米機１５の糠を吸引除去する糠排出ファン１６、サイクロン（図示省略）、糠移送装置（図示省略）、糠袋（図示省略）を設けている。そして、原料投入ホッパ５には玄米繰出手段８及び玄米の有無を検出する玄米投入センサ３１を設け、玄米繰出手段８から繰り出された玄米を玄米移送手段９により第１昇降機１１に移送するように構成している。また、精米機１５の上手側に設けている玄米貯溜用の玄米ホッパ１４を設け、玄米ホッパ１４内には精米機１５で適正に精米できる最小玄米量を検出する第二穀粒検出センサ３２を設けている。
【００１７】
また、前記原料投入ホッパ５から玄米繰出手段（８）で繰り出した玄米を精米機１５へ搬送する搬送経路の中途部の第１昇降機１１の揚穀部から戻し通路１９を分岐し、操作室２へ玄米を戻すように構成している。この戻し通路１９の始端側部には玄米を戻し通路１９に戻すか精米機１５側へ搬送するか切り換える切換装置２０を設けている。
【００１８】
精米機１５には、図示を省略したが、搗精室内に搗精ロールを配設し、搗精室の排出口には精白度調節用の圧迫板を設け、圧迫板を圧迫板調節モータで調節するように構成し、搗精室の搗精網から漏過した糠を糠排出ファン１６によりサイクロン（図示省略）に吸引除去するように構成している。
【００１９】
また、操作盤６の操作面には、図３に示すように、その上側部に精米作業手順表示部２１を設け、作業手順である（１）「精米料金を投入する。」、（２）「白度選択ボタンを押す」、（３）籾・玄米を投入する」、（４）「白米を取り出す」と記載している。
【００２０】
精米作業手順表示部２１の下方には精米作業進行表示部２２を設け、精米作業の進行状態を示す（１）精米料金投入表示灯２２ａ、穀粒投入表示灯２２ｂ、白度選択表示灯２２ｃ及び白米取出表示灯２２ｄを設け、精米作業手順の進行に従って点灯表示するようにしている。
【００２１】
また、白度選択表示灯２２ｃの下方には、もち米スイッチ２３、白度選択設定用の上白スイッチ２４、標準スイッチ２５、８ぶスイッチ２６を設けている。
【００２２】
白度選択表示部２２の下方には、コインメック２７を設けている。このコインメック２７は精米料金を投入すると、投入した精米料金が返却されないタイプのものである。
【００２３】
前記構成によると、原料投入ホッパ５への玄米の投入を玄米投入センサ３１が検出すると、操作盤６に内蔵しているコントローラ（図示省略）の指令により、精米設備の各作業部が駆動手段を介して駆動される。しかして、玄米繰出手段８、玄米移送手段９が駆動され、原料投入ホッパ５内の玄米が順次繰り出され、第１昇降機１１を経て石抜き機１２に移送され、石抜き機１２で玄米から石等の異物が除去される。次いで、第２昇降機１３で玄米は揚穀され、玄米タンク１４を経て精米機１５に供給される。次いで、精米機１５で精米処理され、精白米は白米取出タンク７に取り出される。精米機１５の糠は糠排出ファン１６によりサイクロン（図示省略）に吸引され、糠移送装置（図示省略）を経て糠袋（図示省略）に収納される。
【００２４】
次に、図４に基づきコントローラの精米制御内容について説明する。
【００２５】
精米運転制御が開始され、精米料金が投入され（ステップＳ１）、玄米が原料投入ホッパ５に投入され（ステップＳ２）、白度選択スイッチ（２３〜２６）の選択操作がなされると（ステップＳ３）、コントローラの指令により精米料金に応じた運転時間で精米設備の各作業部の運転が開始され、運転時間の減算処理がされ（ステップＳ４）、精米運転がなされる（ステップＳ５）。
【００２６】
次いで、投入精米料金分の運転時間が経過したか否かを判定し（ステップＳ６）、Ｎｏであると、原料投入ホッパ５の玄米なし検出か否かを判定する（ステップＳ７）。Ｎｏであると、前記ステップＳ５に戻り、Ｙｅｓであると、精米終了動作を開始し（ステップＳ８）、玄米繰出手段８、玄米移送手段９を停止し、次いで、第１昇降機１１、石抜き機１２、第２昇降機１３、精米機１５を順次停止し、精米終了動作を終了する（ステップＳ９）。
【００２７】
また、投入精米料金分の運転時間が経過したか否かを判定し（ステップＳ５）、Ｙｅｓであると、精米設備の各作業部をすべて停止し（ステップＳ１０）、所定時間内に精米料金の追加投入があるか否かを判定し（ステップＳ１１）、Ｎｏであると、精米作業を終了する。また、Ｙｅｓであると、玄米投入センサ３１が原料投入ホッパ５の玄米有り検出をしたか否かを判定し（ステップＳ１２）、Ｙｅｓであると、前記ステップＳ４に戻る。また、Ｎｏであると、切換装置２０を戻し通路１９側に切り換え（ステップＳ１３）、玄米繰出手段８、玄米搬送手段９及び第１昇降機１１を駆動し、戻し通路１９から玄米を原料投入ホッパ５に戻し（ステップＳ１４）、精米作業を終了する。
【００２８】
前記構成によると、精米料金に応じた精米運転時間の終了した場合に、原料投入ホッパ５に残っているのが少量の玄米の場合に、追加料金を投入して精米を行ない、精米に必要な量に満たない少量の玄米（例えば２キログラム以下）を精米することにより、精白圧力不足による希望しない白度、とりわけ未精白米が白米タンク７へ排出することを防止することができる。
【００２９】
次に、図５に基づき他の精米制御の実施例について説明する。
【００３０】
精米運転制御が開始され、精米料金が投入され（ステップＳ２１）、玄米が原料投入ホッパ５に投入され（ステップＳ２２）、白度選択スイッチ（２３〜２６）の選択操作がなされると（ステップＳ２３）、コントローラの指令により精米設備の各作業部が精米料金に応じた運転時間で運転が開始され、運転時間の減算処理がされ（ステップＳ２４）、精米運転がなされる（ステップＳ２５）。
【００３１】
次いで、投入精米料金分の運転時間が経過したか否かを判定し（ステップＳ２６）、Ｎｏであると、玄米投入センサ３１が原料投入ホッパ５の玄米なし検出をしたか否かを判定し（ステップＳ２７）、Ｎｏであると、前記ステップＳ２５に戻る。また、Ｙｅｓであると、精米終了動作工程を開始し（ステップＳ２８）、玄米繰出手段８、玄米移送手段９を停止し、次いで第１昇降機１１、石抜き機１２、第２昇降機１３、精米機１５を順次停止し、精米終了動作を終了する（ステップＳ２９）。
【００３２】
また、投入精米料金分の運転時間が経過したか否かを判定し（ステップＳ２６）、Ｙｅｓであると、精米設備の各作業部の運転をすべて停止する（ステップＳ３０）。次いで、所定時間内に精米料金の一単価分（例えば１００円）の追加投入があるか否かを判定し（ステップＳ３１）、Ｎｏであると、精米作業を終了する。また、Ｙｅｓであると、玄米投入センサ３１が原料投入ホッパ５への玄米投入検出をしたか否かを判定し（ステップＳ３２）、Ｙｅｓであると、前記ステップＳ２４に戻る。また、Ｎｏであると、「原料投入ホッパ５に穀粒の投入を促す」旨の音声報知をする（ステップＳ３３）。次いで、所定時間内に原料投入ホッパ５が穀粒有り検出をしたか否かを判定し（ステップＳ３４）、Ｙｅｓであると、前記ステップＳ２４に戻り、Ｎｏで有ると、精米作業を終了する。
【００３３】
なお、前記ステップＳ３１において、所定時間内に精米料金の一単価分（例えば１００円）以上の追加投入がある場合には、新規な精米利用と判定し、「新規の精米作業である」旨を報知し、前記ステップＳ２２に戻るようにしている。
【００３４】
前記構成によると、精米料金に応じた精米運転時間の終了した場合に、利用者が精米料金を投入した場合に、穀粒量が少量の場合に穀粒の追加投入を促して、精米作業を行なうことで、少量による精米を防止し、希望しない白度、とりわけ未精白米の排出を防止することができる。
【００３５】
次に、精米運転制御の他の実施例について説明する。
【００３６】
精米運転制御が開始され、精米料金が投入され、原料投入ホッパ５に玄米が投入され、白度選択スイッチ（２３〜２６）の選択操作がなされると、コントローラの指令により精米料金の運転時間に応じて精米設備の各作業部の運転が開始され、運転時間の減算処理が実行され、精米運転が開始される。
【００３７】
投入精米料金に応じた精米運転時間が終了すると、精米設備の各作業部の運転をすべて停止し、所定時間内に精米料金の追加投入があるか否かを判定し、精米料金の追加投入がない場合には、精米作業を終了する。
【００３８】
また、精米料金の追加投入がある場合には、所定時間内に玄米投入センサ３１が穀粒有り検出をし、且つ、第二穀粒検出センサ３２が所定穀粒量の有り検出をすると、追加精米料金に応じた運転時間で各作業部の運転を開始する。また、所定時間内に玄米投入センサ３１が玄米有り検出をしない場合には、「原料投入ホッパ５への穀粒の投入を促す」報知をし、所定時間内に玄米投入センサ３１が玄米有り検出をし、且つ、前記第二穀粒検出センサ３２が所定穀粒量の有り検出をすると、追加精米料金に応じた運転時間で各作業部の運転を開始する。
【００３９】
なお、図６は精米運転時間、センサのＯＮ／ＯＦＦ状態、システムの起動状態、警報報知状態、精米作業部の作動状態を示すタイムチャートである。
【００４０】
前記構成によると、精米料金に応じた精米運転時間の終了した場合に、利用者が精米料金を投入した場合に、穀粒量が少量の場合に穀粒の追加投入を促して、精米作業を行なうことで、少量による精米を防止し、希望しない白度、とりわけ未精白米の排出を防止することができる。また、精米機１５へ穀粒を適正に供給し均等な精白度で精米しながら連続して精米作業を進めることができる。
また、精米機１５への穀粒供給を適正化し均等な精白度で精米しながら連続して精米作業をすることができる。
【００４１】
また、前記制御において、精米料金の追加投入後において、所定時間内に原料投入センサ３１が穀粒の有り検出をし、第二穀粒検出センサ３２が玄米ホッパ１４内の所定穀粒量の有り検出をすると、追加精米料金に応じた運転時間で精米設備の各作業部の運転を開始する。また、精米運転中に第二穀粒センサ３２が継続して穀粒有り検出をした場合には、原料投入ホッパ５の玄米投入センサ３１が玄米有り検出をしない故障と判定し、故障表示灯を点滅して故障表示をし、施設管理者に精米設備のメンテナンスを促すようにしている。
【００４２】
また、前記制御において、精米料金の追加投入後において、所定時間内に原料投入センサ３１が玄米有り検出をした後に、所定時間経過しても第二穀粒検出センサ３２が所定穀粒量の有り検出をしない場合には、投入玄米が最小精米量に満たないと判定する。そして、精米機１５の圧迫板を白度選択スイッチの設定状態を無視して最強圧迫状態に調整し、追加精米料金に応じた運転時間に圧迫調整付加運転時間を加算した運転時間で各作業部の運転を開始し、当該運転時間が終了すると、精米運転を終了するようにしている。前記構成によると、追加投入の玄米が精米機１５の最小精米量に満たない場合にも、精白度を高めながら精米することができる。
【００４３】
また、前記精米運転制御において、原料投入ホッパ５の穀粒定量排出用の穀粒繰出手段８、穀粒移送手段９の運転を開始するにあたり、運転開始時の１単価分（例えば１００円）の単位精米時間（例えば１分）の運転開始を、玄米投入センサ３１の玄米有り検出があり次第運転を開始する。そして、精米料金に応じた全繰出駆動時間から１単価分の繰出時間を差し引いた残存繰出時間が終了すると、穀粒繰出装置８、穀粒移送手段９の駆動を終了させる。次いで、玄米投入センサ３１の穀粒なし検出から所定時間が経過すると、例えば音声により「玄米の投入を促す」報知をし、その後所定時間経過しても玄米の投入がない場合には、精米作業の終了動作に移行し精米作業を終了するようにしている。前記構成によると、精米運転を迅速に開始し、利用者の穀粒の投入遅れを防止することができる。
【符号の説明】
【００４４】
１      建屋
２      操作室
３      機械室
５      原料投入ホッパ
６      操作盤
７      白米取出タンク
８      玄米繰出手段
１５      精米機
１９      戻し通路
２０      切換装置
２７      コインメック
３１      玄米投入センサ
３２      第二穀粒検出センサ
【図１】
2011167645.tif 000003
【図２】
2011167645.tif 000004
【図３】
2011167645.tif 000005
【図４】
2011167645.tif 000006
【図５】
2011167645.tif 000007
【図６】
2011167645.tif 000008